(57)【特許請求の範囲】
【請求項１】
絶縁材料により形成された略有底筒形状のケースの内部に、一対の真空インタラプタを、固定リード棒がケースの底部側となるように並列に並べて収容し、ケースの底部を気密に貫通するとともにケースの内側で夫々の固定リード棒と個別に導通する端子を設ける一方、対となる真空インタラプタの可動リード棒を夫々摺動自在に挿通した挿通孔を有する接続導体を着脱自在にケースの内面に結合し、夫々の真空インタラプタと接続導体との間には圧縮ばねを設け、
絶縁ガスが充填されたタンクの開口部を、前記ケースで閉塞し、前記ケースがタンクの内部に位置するとともに前記ケースの内部がタンクの外部へ開口する状態でタンクに取り付け得るようにし、
前記ケースにおける前記一対の端子の間から突出する絶縁支持部を設け、当該絶縁支持部にはタップ穴を形成した固定用インサートを埋設したことを特徴とする遮断器。
【発明の詳細な説明】
【０００１】
【発明の属する技術分野】
本発明は遮断器に関し、真空インタラプタの交換作業が容易にできるようにしたものである。
【０００２】
【従来の技術】
従来の遮断器を用いたガス絶縁開閉装置の構造を図５に示す。図のように、気密に形成されるとともに絶縁ガスが充填されたタンク４とタンク１とが設けられる。タンク４は、ユニット４ａとユニット４ｂとを二点鎖線の位置で結合して構成されている。タンク４内には真空インタラプタを内蔵した遮断器５が収容され、ケーブルヘッド７が断路器６を介して遮断器５に接続される一方、タンク１内の母線３が断路器２を介して遮断器５に接続されている。ケーブルヘッド７は、ケーブル８を介して電力送り出し用の変電所９に接続され、ケーブル８には開閉器１０と断路器１１とが接続されている。
【０００３】
斯かるガス絶縁開閉装置において、遮断器５を構成する図示しない真空インタラプタを交換するには、変電所９の開閉器１０を開にしてタンク４内の絶縁ガスを抜き取ったのちにタンク４内から遮断器５を取り外し、遮断器５内の真空インタラプタを新しいものに交換し、前記と逆の手順で遮断器５をタンク４内に組み込む。
【０００４】
【発明が解決しようとする課題】
ところが、大きなタンク４内の絶縁ガスを抜いてタンク４を分解したのちに遮断器５を取り出さねばならないため、真空インタラプタの交換のための作業が面倒である。また、真空インタラプタの交換の際にはタンク４内の絶縁ガスを全て抜き取るため、電気設備として使用できない。
【０００５】
そこで本発明は、斯かる課題を解決した遮断器を提供することを目的とする。
【０００６】
【課題を解決するための手段】
斯かる目的を達成するための請求項１に係る遮断器の構成は、絶縁材料により形成された略有底筒形状のケースの内部に、一対の真空インタラプタを、固定リード棒がケースの底部側となるように並列に並べて収容し、ケースの底部を気密に貫通するとともにケースの内側で夫々の固定リード棒と個別に導通する端子を設ける一方、対となる真空インタラプタの可動リード棒を夫々摺動自在に挿通した挿通孔を有する接続導体を着脱自在にケースの内面に結合し、夫々の真空インタラプタと接続導体との間には圧縮ばねを設け、絶縁ガスが充填されたタンクの開口部を、前記ケースで閉塞し、前記ケースがタンクの内部に位置するとともに前記ケースの内部がタンクの外部へ開口する状態でタンクに取り付け得るようにし、前記ケースにおける前記一対の端子の間から突出する絶縁支持部を設け、当該絶縁支持部にはタップ穴を形成した固定用インサートを埋設したことを特徴とする。
【０００７】
【発明の実施の形態】
以下、本発明を図面に示す実施例に基づいて詳細に説明する。
【０００８】
本発明による遮断器を設けたガス絶縁開閉装置の構成を、図１に示す。図のように、機器タンク１３の上部中央に接続タンク１４が接続され、接続タンク１４の右側には三相絶縁スペーサ１７を介して母線タンク１５が接続されている。１６は接続タンク１４の左側の開口部を塞ぐ蓋である。この母線タンク１５は接続タンク１４の左側に接続するようにしてもよい。これらの３つのタンクは、ガスシール用パッキン，ボルトを介して相互に結合されている。
【０００９】
機器タンク１３内には遮断器１８と、ケーブルを接続するためのケーブルヘッド１９とが設けられ、ケーブルヘッド１９は主回路導体２０，接地開閉器２１，断路器２２を介して遮断器１８に接続されている。２３は支持碍子である。一方、母線タンク１５内には母線２４が収容され、母線２４は断路器２５，主回路導体２６，２７を介して遮断器１８に接続されている。機器タンク１３の外部には操作手段２８が設けられ、操作手段２８は遮断器１８に連動連結されている。
【００１０】
次に、遮断器１８の構成を詳細に説明する。図３に示すように、一対の真空インタラプタ３０を収容するためのケース２９が設けられる。ケース２９は絶縁材料により略有底筒形状に形成したものであり、ケース２９の内部を上下に仕切るための仕切部２９ａと、ケース２９を機器タンク１３に取り付けるためのフランジ部２９ｂとを有する。ケース２９内の仕切部２９ａの上下には一対の真空インタラプタ３０が、その固定リード棒３０ａを底部に対向させた状態で収容されている。
【００１１】
ケース２９の底部には、底部を気密に貫通する一対の端子３１が設けられ、端子３１の内端部には嵌合穴３２が形成されるとともに、嵌合穴３２にはマルチコンタクト３３を介して固定リード棒３０ａが嵌合されている。上部の端子３１はボルト３４を介して前記主回路導体２７に結合される一方、下部の端子３１はボルト３４を介して前記主回路導体２０に結合されている。
【００１２】
真空インタラプタ３０の可動リード棒３０ｂどうしを接続するために接続導体３５が設けられる。接続導体３５には一対の挿通孔が形成されるとともに夫々の挿通孔には集電コンタクト３６を介して摺動自在に可動リード棒３０ｂが挿通されている。ケース２９における仕切部２９ａの右端には取付金具３７が埋設されており、接続導体３５の中央部がボルト３８を介して着脱自在に取付金具３７に結合されている。そして、真空インタラプタ３０が動かないように拘束するため、夫々の真空インタラプタ３０と接続導体３５との間には圧縮ばね３９が設けられている。
【００１３】
図２に示すように、機器タンク１３には開口部１３ａが形成され、開口部１３ａにはパッキン４０を介して取付板４１が取り付けられている。取付板４１には連絡孔４１ａが形成され、連絡孔４１ａの左側にはパッキン４２を介してケース２９のフランジ部２９ｂが結合される一方、右側にはパッキン４３ａを介して仕切板４３が取り付けられている。取付板４１には操作手段２８が取り付けられ、操作手段２８に連動連結されて左右方向へ往復移動する絶縁ロッド４４がパッキン４４ａを介して気密に仕切板４３を貫通している。
【００１４】
最後に、絶縁ロッド４４と真空インタラプタ３０との連結部の構造を図３に基づいて説明する。絶縁ロッド４４の先端に連結部材４５の中央部が結合される一方、連結部材４５の両端を貫通する延長ボルト４６の先端が夫々の可動リード棒３０ｂの先端に螺合されている。そして、夫々の延長ボルト４６に挿通されたバネ受け４７と連結部材４５との間には、延長ボルト４６を囲繞する圧接ばね４８が設けられている。
【００１５】
以上のように、母線タンク１５と、接続タンク１４を含めた機器タンク１３と、ケース１８との内部が夫々気密に構成され、夫々の３つの空間には絶縁ガスが個別に充填されている。
【００１６】
次に、斯かる遮断器の作用を説明する。図１に示すように、主回路導体２０は遮断器１８を構成するケース２９と絶縁支持部２９ｃを介して支持される。
【００１７】
真空インタラプタ３０を交換するには、以下の手順で行う。まず、図２において操作手段２８を取り外したのちに、仕切板４３に取り付けた図示しないバルブ等を介してケース２９内の絶縁ガスを抜き取る。次に仕切板４３を取り外し、図３に示すボルト３８を取り外す。すると、図４に示すように絶縁ロッド４４を右方へ引っ張ることにより、一対の真空インタラプタ３０をケース２９から外部へ引き出すことができる。
【００１８】
このあとは、新しい真空インタラプタ３０を絶縁ロッド４４に取り付けたのちに前記と逆の手順でケース２９内に真空インタラプタ３０を挿入して取り付け、仕切板４３を取り付けたのちにケース２９内に絶縁ガスを充填し、最後に操作手段２８を取り付ける。
【００１９】
真空インタラプタの交換作業の際に、機器タンク内の絶縁ガスを抜き取る必要がないので、従来のように送り出し側の開閉器を開にする必要がない。
【００２０】
なお、本実施例では絶縁支持部により主回路導体を支持する構成にしたが、絶縁支持部にその他の部品を支持するようにしてもよい。
【００２１】
【発明の効果】
以上の説明からわかるように、請求項１に係る遮断器によれば絶縁材料からなるケースの内部に真空インタラプタを並列に並べて収容するので、遮断器が小形化される。また、機器を収容するタンクの開口部をケースで閉塞し、ケースがタンクの内部に位置するとともにケースの内部がタンクの外部へ開口する状態でケースを取り付けることにより、タンクの内部とは分離した状態でケースの内部に絶縁ガスを充填することができ、タンク内の絶縁ガスを抜くことなくケース内の真空インタラプタを交換することができることになり、真空インタラプタの交換作業が容易になる。更に、タンク内の絶縁ガスを抜かずに真空インタラプタの交換ができるので、従来のように送り出し側の開閉器を開にする必要がない。このほか、ケースに絶縁支持部を設けたので、タンクに新たに絶縁部材を取り付けることなく導体等を支持でき、部品点数が減少するとともにガス絶縁開閉装置の小形化につながる。
【図面の簡単な説明】
【図１】本発明による遮断器を用いたガス絶縁開閉装置の構成図。
【図２】本発明による遮断器と操作手段との関係に係り、（ａ）は正面図、（ｂ）は（ａ）の左側面図。
【図３】本発明による遮断器の構成に係り、（ａ）は断面図、（ｂ）は（ａ）のＡ−Ａ矢視図。
【図４】本発明による遮断器における作用説明図。
【図５】従来の遮断器を用いたガス絶縁開閉装置の構成図。
【符号の説明】
１３…機器タンク
１３ａ…開口部
２９…ケース
２９ｃ…絶縁支持部
２９ｄ…インサート
２９ｅ…タップ穴
３０…真空インタラプタ
３０ａ…固定リード棒
３０ｂ…可動リード棒
３１…端子
３５…接続導体
３８…ボルト
３９…圧縮ばね
【図１】
0003777693.tif 000002
【図２】
0003777693.tif 000003
【図３】
0003777693.tif 000004
【図４】
0003777693.tif 000005
【図５】
0003777693.tif 000006